(57)【要約】【課題】より好適に保冷対象物を保冷可能な輸送方法を提供する。【解決手段】輸送方法は、保冷対象物１と−１００℃以下の氷３とを共に容器５に収容して輸送する。【選択図】図１
2019011069.tif 000002
【特許請求の範囲】
【請求項１】
保冷対象物と−１００℃以下の氷とを共に容器に収容して輸送する
輸送方法。
【請求項２】
前記保冷対象物と前記氷との間に水を吸収可能な吸水物を介在させる
請求項１に記載の輸送方法。
【請求項３】
前記吸水物が、多孔質材料からなる可撓性シートである
請求項２に記載の輸送方法。
【請求項４】
前記保冷対象物と前記吸水物との間に、遮水性の材料からなり、前記吸水物よりも薄い可撓性シートを介在させる
請求項３に記載の輸送方法。
【請求項５】
保冷対象物と−１００℃以下の氷とを共に容器に収容する
保冷方法。
【発明の詳細な説明】
【技術分野】
【０００１】
本開示は、魚介類等の保冷対象物を輸送する輸送方法及び保冷方法に関する。
【背景技術】
【０００２】
保冷対象物と氷とを共に容器に収容して輸送する輸送方法が知られている。特許文献１は、水が容器外に漏れることを抑制するために、容器の底又は内壁に吸水体を配置することを提案している。特許文献１では、吸水体として、高吸水性樹脂を収容した布袋、及びウレタン製のスポンジを挙げている。また、特許文献１は、氷が保冷対象物に直接接触することを防止するために当接防止部材を設けることを提案している。特許文献１では、当接防止部材として、紙製又はポリエチレン製のシートを挙げている。さらに、特許文献１では、保冷対象物が冷え過ぎて凍結してしまうことを防ぐために、上記の当接防止部材を断熱材料によって構成することも提案している。特許文献１では、断熱材料として、発砲スチロールを挙げている。
【先行技術文献】
【特許文献】
【０００３】
【特許文献１】特開２００９−９０９８３号公報
【発明の概要】
【発明が解決しようとする課題】
【０００４】
より好適に保冷対象物を保冷可能な輸送方法及び保冷方法が望まれる。
【課題を解決するための手段】
【０００５】
本開示の一態様に係る輸送方法は、保冷対象物と−１００℃以下の氷とを共に容器に収容して輸送する。
【０００６】
一例において、前記保冷対象物と前記氷との間に水を吸収可能な吸水物を介在させる。
【０００７】
一例において、前記吸水物が、多孔質材料からなる可撓性シートである。
【０００８】
一例において、前記保冷対象物と前記吸水物との間に、遮水性の材料からなり、前記吸水物よりも薄い可撓性シートを介在させる。
【０００９】
本開示の一態様に係る保冷方法は、保冷対象物と−１００℃以下の氷とを共に容器に収容する。
【発明の効果】
【００１０】
上記の方法によれば、より好適に保冷対象物を保冷できる。
【図面の簡単な説明】
【００１１】
【図１】実施形態に係る輸送方法を説明するための斜視図。
【図２】実施形態に係る輸送方法を説明するための断面図。
【発明を実施するための形態】
【００１２】
（輸送方法の概略）
図１及び図２は、実施形態に係る輸送方法を説明するための斜視図及び断面図である。
【００１３】
実施形態に係る輸送方法は、保冷対象物１を保冷しつつ輸送するものである。保冷対象物１は、複数の氷３とともに容器５（７および９）に収容されることによって保冷される。また、氷３と保冷対象物１との間には、例えば、遮水シート１１及び吸水シート１３が介在している。なお、保冷対象物１は、単体で容器５に収容されてもよいし、複数で容器５に収容されてもよいが、図１及び図２では、図解を容易にするために、１つの保冷対象物１のみを示している。
【００１４】
（保冷対象物）
保冷対象物１としては、例えば、生鮮食品、移植用臓器及びワクチン（移植用臓器又はワクチンが封入された容器）を挙げることができる。保冷の語は、一般に食料品に用いられるが、前記の例示から理解されるように、本開示では、保冷対象物は食料品に限られない。生鮮食品としては、例えば、鮮魚（魚介類）、精肉（肉類）及び青果を挙げることができる。図１及び図２では、保冷対象物１として、魚を例に取っている。
【００１５】
（容器）
容器５は、保冷対象物１及び氷３を共に収容できるものであればよく、その材料及び構造は問わない。例えば、容器５の材料としては、樹脂、木材、金属、紙またはこれらの組み合わせを挙げることができる。樹脂からなる材料としては、発泡スチロールに代表される発泡プラスチックを挙げることができる。複数の材料が組み合わされる場合としては、例えば、強度を確保する目的とする部材（材料）と、保温を目的とする部材（材料）とが、容器５の内外方向に重ねられる場合が挙げられる。
【００１６】
図１及び図２の例では、容器５として、上方が開放された箱体７と、箱体７の上方の開口を塞ぐ蓋体９とを有しているものを例に取っている。蓋体９は、例えば、その一部が箱体７の開口に嵌合することによって箱体７に対して固定される。このような箱体７及び蓋体９は、上記に例示したいずれの材料によって構成されていてもよいが、例えば、発泡スチロールによって構成されている。
【００１７】
この他、容器５は、例えば、蓋体９がヒンジ構造によって箱体７に連結されたクーラーボックスなどであってもよい。また、例えば、輸送距離が短い場合、あるいは輸送せずに単に保冷対象物１を保冷しているだけの場合においては、箱体７のみによって容器５が構成されていてもよい。
【００１８】
（氷）
氷の語は、ここでは、固体状の水を指すものとし、例えば、一酸化炭素、二酸化炭素又はメタン等の水以外の低分子物質の固体は意味しないものとする。ただし、水は、純粋である必要はなく、例えば、海水、塩水、水道水、又はその他の不純物若しくは添加物を含む水であってよい。
【００１９】
氷３は、少なくとも保冷対象物１と氷３とを容器５に収容した時点において、−１００℃以下（例えば−１２０℃程度）である。このような−１００°Ｃ以下の氷は、例えば、株式会社エイディーディー社製の「超低温チラー  コールドウェーブ」を用いることによって作製可能である。この超低温チラーは、多段蒸発器及び混合冷媒を用いることによって、供給された気体（例えば、空気、フロンガス、液体窒素又はアルゴンガス）を−１３０℃程度の温度まで冷却することができる。そして、例えば、水を貯留した不図示の製氷容器内に設けられた流路又は前記製氷容器周辺の流路に前記のチラーによって冷却された気体を流すことによって、−１００℃以下の氷を作製することができる。
【００２０】
なお、地球上で計測された最も低い温度は、南極における−９０℃程度といわれている。従って、自然界においては−１００℃以下の氷は存在しない。ひいては、極寒の地方において保冷対象物１及び氷が共に容器５に収容されていても、本実施形態の輸送方法が意図せずに既に実施されているというようなことはない。
【００２１】
氷３は、保冷対象物１の大きさ及び形状等に応じて適宜な大きさに形成されて、保冷対象物１の周囲に複数配置される。このような氷３は、例えば、比較的大きな不図示の製氷容器に形成された氷を破砕することによって形成される。もちろん、製氷容器に仕切りを設けて当初から適宜な大きさの複数の氷３を作製してもよい。
【００２２】
（遮水シート）
遮水シート１１は、水を通さない材料からなる可撓性シートである。遮水シート１１は、例えば、保冷対象物１に対して直接に当接している。遮水シート１１は、可撓性であることから、保冷対象物１の形状に応じてその形状を変化させ、保冷対象物１に対して概ね密着している。
【００２３】
また、遮水シート１１は、保冷対象物１の全体を覆っている。図１及び図２では、遮水シート１１は、保冷対象物１を上下方向に挟むように２枚設けられている。なお、１枚の遮水シート１１によって保冷対象物１を包むようにしてもよいし、遮水シート１１によって形成された袋に保冷対象物１を収容するようにしてもよい。複数の保冷対象物１が共に容器５に収容される場合、複数の保冷対象物１は、共通の遮水シート１１に覆われていてもよいし、複数の遮水シート１１によって個別に覆われていてもよい。
【００２４】
遮水シート１１の材料としては、例えば、樹脂を挙げることができる。すなわち、遮水シート１１は、食品用ラップフィルム等の樹脂フィルムによって構成されてよい。遮水シート１１は、その厚さ及び強度等が適宜なものとされてよい。例えば、遮水シート１１は、その強度がある程度確保されている限り、極力薄いものとされてよい。例えば、遮水シート１１の厚さは、１ｍｍ未満又は１００μｍ未満とされてよい。なお、食品用ラップフィルムの厚さは、一般に、１０μｍ〜２０μｍである。もちろん、遮水シート１１は、ここで例示した厚さよりも厚くても構わない。
【００２５】
（吸水シート）
吸水シート１３は、水を保持することができる（別の観点では水を通す）材料からなる可撓性シートである。吸水シート１３は、例えば、保冷対象物１側においては遮水シート１１に当接し、その反対側では複数の氷３に当接している。吸水シート１３は、可撓性であることから、保冷対象物１（遮水シート１１）の形状に応じてその形状を変化させ、保冷対象物１に対して（遮水シート１１を介して）概ね密着している。
【００２６】
また、吸水シート１３は、保冷対象物１の全体を覆っている。図１及び図２では、吸水シート１３は、遮水シート１１と同様に、保冷対象物１を上下方向に挟むように２枚設けられている。なお、１枚の吸水シート１３によって保冷対象物１を包むようにしてもよいし、吸水シート１３によって形成された袋に保冷対象物１を収容するようにしてもよい。複数の保冷対象物１が共に容器５に収容される場合、複数の保冷対象物１は、共通の吸水シート１３に覆われていてもよいし、複数の吸水シート１３によって個別に覆われていてもよい。吸水シート１３が保冷対象物１を覆う具体的態様は、遮水シート１１が保冷対象物１を覆う具体的態様と同一であってもよいし、異なっていてもよい。
【００２７】
吸水シート１３の材料としては、例えば、スポンジ等の多孔質材料、紙、布及び綿を挙げることができる。これらの材料は、例えば、毛管現象によって水を吸収及び／又は保持し、また、保持できる量を超える水を外部へ排出する（水は重力等によって吸水体から流れ出る。）。スポンジの材料としては、例えば、ウレタン等の樹脂を挙げることができる。吸水シート１３は、その厚さ及び強度等が適宜なものとされてよい。例えば、吸水シート１３は、遮水シート１１よりも厚いものとされている。また、例えば、吸水シート１３の厚さは、１ｍｍ以上１０ｍｍ以下である。もちろん、吸水シート１３は、ここで例示した厚さよりも厚くても構わない。
【００２８】
（作用）
以上のとおり、本実施形態の輸送方法は、保冷対象物１と−１００℃以下の氷３とを共に容器５に収容して輸送する。換言すれば、本実施形態の輸送方法は、保冷対象物１と−１００℃以下の氷３とを共に容器５に収容する収容ステップと、保冷対象物１と氷３とを共に収容している容器５を移送する移送ステップとを有している。なお、氷３は、収容ステップにおいて−１００℃以下であればよく、移送ステップにおいては、必ずしも−１００℃である必要はない。
【００２９】
上記のような輸送方法では、例えば、通常の氷（例えば−１０℃〜−２０℃）を用いた場合に比較して、氷３が融けるまでの時間が長い。その結果、例えば、保冷対象物１を長時間に亘って保冷することができる。別の観点では、輸送に必要な氷の量を削減することができる。ひいては、輸送する重量を低減することができ、輸送費を削減することができる。
【００３０】
また、本実施形態では、保冷対象物１と氷３との間に吸水物（吸水シート１３）を介在させる。
【００３１】
従って、氷３が直接に保冷対象物１を冷却するのではなく、氷３が融けて生じた水が吸水シート１３に浸透し、この水によって保冷対象物１が冷却される。周知のように水の温度は基本的に０℃以上である。従って、保冷対象物１が凍結するおそれを低減しつつも、氷３によって保冷対象物１を０℃に近づけることができる。その結果、例えば、保冷対象物１が鮮魚である場合において、品質をより良好に保つことができる。
【００３２】
また、本実施形態では、吸水物（吸水シート１３）は、多孔質材料からなる可撓性シートである。
【００３３】
従って、例えば、多孔質体の孔によって、氷３が融けて生成された水の、氷３から保冷対象物１までの流路が確保される。また、吸水シート１３は、その可撓性により保冷対象物１に密着するから、上記の流路の長さは、吸水シート１３の厚さによって規定される。その結果、例えば、保冷対象物１の温度調整が容易化される。
【００３４】
また、本実施形態では、保冷対象物１と吸水シート１３との間に、遮水性の材料からなり、吸水シート１３よりも薄い可撓性シート（遮水シート１１）を介在させる。
【００３５】
従って、例えば、吸水シート１３から染み出した水が保冷対象物１に浸透するおそれを低減しつつ、吸水シート１３を保冷対象物１に密着させ、保冷効果を向上させることができる。
【００３６】
なお、以上の説明では、実施形態の技術を輸送方法として捉えて説明したが、実施形態の技術は、保冷方法として捉えられてよい。保冷方法においては、移送（移送ステップ）は必須の要件ではなく、保冷対象物１と−１００℃以下の氷３とを共に容器５に収容する収容ステップが行われればよい。
【００３７】
（実験）
株式会社エイディーディー製の超低温チラーを用いて−１２０℃程度の氷を作製した。この氷と、アジ及びサバなどの比較的傷みやすい鮮魚とを、実施形態において説明したように容器５に収容した。容器５は、発泡スチロール製のものとした。遮水シート１１は、市販の食品用ラップフィルムとした。吸水シート１３は、厚さ５ｍｍ程度のウレタン製のスポンジとした。そして、上記のように鮮魚を収容した容器５を鳥取県米子市から沖縄県へ輸送した。輸送は、実際に事業が行われた場合に予想される状況に近づくように、陸路及び空路を利用するとともに、概ね２日間の日程で行った。また、比較例として、−１２０℃の氷に代えて、通常の氷（−２０℃〜−１０℃）を用いたものについても同様の実験を行った。
【００３８】
その結果、通常の氷を用いた場合においては、目的地に到着したときに氷は全て融けており、鮮魚に傷みが生じていた。一方、−１２０℃の氷を用いた場合においては、氷は残っており、鮮魚に傷みは生じていなかった。また、鮮魚が冷凍された場合には目が白くなるなどの変化が生じるが、そのような変化も生じていなかった。冷凍抑制は、吸水シート１３による効果である。
【００３９】
上記の実験及びその他の実験から、−１００℃以下の氷は、完全に融けるまでに４８時間はかかることが分かった。一方、通常の氷は、１８時間程度で融ける。すなわち、−１００℃以下の氷は、通常の氷の約３倍の時間で保冷効果を発揮できることが分かった。なお、ドライアイスを−１００℃以下に冷却する実験も行ったが、保冷効果を発揮できる時間を長くする効果は殆ど得られなかった。
【００４０】
保冷効果を維持できる時間が約３倍になるということは、別の観点では、保冷効果を所定の時間に亘って維持するために必要な氷の量を１／３にできるということである。従って、例えば、１０ｋｇの鮮魚の輸送に通常の氷を３ｋｇ用いている場合、通常の氷に代えて−１００℃以下の氷を用いれば、氷の量は１ｋｇで済む。すなわち、輸送重量が約１５％低減される。ひいては、輸送コストを削減できる。
【００４１】
本発明は、以上の実施形態に限定されず、種々の態様で実施されてよい。
【００４２】
実施形態では、保冷対象物よりも小さい複数の氷が用いられた。しかし、例えば、保冷対象物と、比較的大きい（例えば保冷対象物よりも大きい）１つの氷とを容器に収容してもよい。この場合であっても、例えば、−１２０℃の氷によって、保冷の長期化及び／又は氷の量の削減が図られる。
【００４３】
また、実施形態では、保冷対象物の全体が複数の氷に埋設された。しかし、例えば、保冷対象物が氷に埋設されずに、単数又は複数の氷の上、下又は横に保冷対象物が位置してもよいし、単数の氷に保冷対象物が埋設されてもよいし、保冷対象物の一部のみが単数又は複数の氷に埋設されてもよい。保冷対象物の種類又は魚の種類によって保冷対象物と氷との位置関係が適宜に設定されてよい。
【００４４】
容器は、冷蔵庫のように冷却機能を有しているものであってもよい。なお、本願発明者は、保冷温度２℃の冷蔵庫に−１２０℃程度の氷とともに鮮魚（具体的にはアジ）を保存する実験を行った。この場合においても、２日間経過しても鮮魚に傷みは生じなかった。なお、通常の氷の場合においては、２日間で傷みが発生する。
【００４５】
また、例えば、容器は、氷が融けて生成された水が保冷対象物の周囲に貯留されないように構成されていてもよい。例えば、容器は、孔を有する板によって底上げがされて板の下に水を貯留可能になっていてもよいし、容器の底部に吸水物が設けられていてもよい。なお、このような構成は、氷と保冷対象物との間に吸水物（吸水シート１３）を介在させる構成と矛盾するものではない。
【００４６】
吸水物（吸水シート１３）及び遮水シートは、設けられなくてもよい。例えば、−１００℃の氷が直接に保冷対象物に当接しても構わない。逆に、吸水物及び遮水シートに加えて、又は代えて、適宜な部材が容器内に配置されてもよい。例えば、遮水性の断熱材を保冷対象物と氷との間に介在させてもよい。断熱材は、可撓性のものであってもよいし、なくてもよい。また、保冷対象物と氷との間に緩衝材を介在させてもよい。緩衝材は、例えば、保冷対象物を覆うような大きなものであってもよいし、保冷対象物の周囲に複数乃至は多数配置される比較的小さなものであってもよい。
【００４７】
吸水物は、シート状のものに限定されないし、可撓性を有しているものに限定されない。例えば、吸水物は、保冷対象物の形状と同様の形状の空間が形成された直方体状のものであってもよい。また、例えば、吸水物として、吸水性を有する材料からなる多数の小片を保冷対象物の周囲に配置したり、小片間の隙間によって吸水性を発揮するように多数の小片を保冷対象物の周囲に配置したりしてもよい。
【符号の説明】
【００４８】
１…保冷対象物、３…氷、５…容器、７…箱体、９…蓋体、１１…遮水シート、１３…吸水シート（吸水物）。
【図１】
2019011069.tif 000003
【図２】
2019011069.tif 000004
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
保冷対象物である生鮮食品と、チラーを用いることによって作製した−１００℃以下の氷とを共に容器に収容して輸送する
輸送方法。
【請求項２】
保冷対象物である生鮮食品と−１００℃以下の氷とを共に容器に収容して輸送し、
前記保冷対象物と前記氷との間に、スポンジからなる厚さ１ｍｍ以上の可撓性シートを、前記保冷対象物の形状に応じてその形状が変化する態様で介在させる
輸送方法。
【請求項３】
前記保冷対象物と前記氷との間に水を吸収可能な吸水物を介在させ、
前記吸水物が、多孔質材料からなる可撓性シートである
請求項１に記載の輸送方法。
【請求項４】
前記保冷対象物と前記吸水物との間に、遮水性の材料からなり、前記吸水物よりも薄い可撓性シートを介在させる
請求項３に記載の輸送方法。
【請求項５】
保冷対象物である生鮮食品と、チラーを用いることによって作製した−１００℃以下の氷とを共に容器に収容する
保冷方法。